(57)【要約】【課題】ボール面上縁部の内側壁面に沿って洗浄水を吐水する吐水口を任意の位置に配設でき、吐水口への洗浄水供給路を容易に形成することができる洋風水洗式便器を提供すること。【解決手段】リム部成形体とボール部成形体を各々別体で成形した後接合して形成されるボール面上縁部の内側壁面に沿って洗浄水を吐水する吐水口を備えた洋風水洗式便器であって、リム部成形体は中空状のリム導水路と、このリム導水路の外側壁外周に沿ってその外周面と面一状で下方に突設したリム外側脚部と、前記吐水口を配設する位置にリム導水部の内側壁の外面と面一状で下方に突設したリム内側脚部とを有し、前記リム外側脚部及びリム内側脚部とボール部成形体の上端部とを接合することによって洗浄水吐水部を形成すると共に、前記洗浄水吐水部を構成する前記底面壁に前記リム導水部と前記洗浄水吐水部とを連通する貫通孔を穿設し洗浄水吐水部の開口部を前記吐水口とした。【選択図】  図２
2006089971.tif 000002
【特許請求の範囲】
【請求項１】
リム部成形体とボール部成形体を各々別体で成形した後接合して形成されるボール面上縁部の内側壁面に沿って洗浄水を吐水する吐水口を備えた
洋風水洗式便器であって、
前記リム部成形体は、便座が載置され内部に洗浄水を導水する中空状のリム導水路と、このリム導水路の外側壁外周に沿ってその外周面と面一状で下方に突設したリム外側脚部と、前記吐水口を配設する位置に前記リム導水路の内側壁の外面と面一状で下方に突設したリム内側脚部とを有し、
前記リム外側脚部及びリム内側脚部と前記ボール部成形体の上端部とを接合することによって前記リム外側脚部とリム内側脚部と前記リム導水路の底面壁及び前記上端部によって囲まれた洗浄水吐水部を形成すると共に、前記洗浄水吐水部を構成する前記底面壁に前記リム導水部と前記洗浄水吐水部とを連通する貫通孔を穿設し、前記洗浄水吐水部の開口部を前記吐水口としたことを特徴とする洋風水洗式便器。
【請求項２】
前記洗浄水吐水部の両端に開口部を有し、洗浄水を吐水する方向と反対側の前記開口部を閉塞していることを特徴とする請求項１記載の洋風水洗式便器。
【請求項３】
前記ボール部成形体の上端部に前記リム外側脚部とリム内側脚部の各々の先端部と接合するためのボール外側脚部及びボール内側脚部を突設していることを特徴とする請求項１または２記載の洋風水洗式便器。
【発明の詳細な説明】
【技術分野】
【０００１】
本発明は、ボール面上縁部の内側壁面に沿って洗浄水を吐水してボール部を洗浄する洋風水洗式便器に関する。
【背景技術】
【０００２】
従来、ボール面上縁部の内側壁面に沿って洗浄水を吐水する吐水口を形成する技術として特許文献１に示すものがある。
【０００３】
特許文献１においては、吐水口、貯水タンクなどの洗浄水供給装置から吐水口に洗浄水を供給するための連通道、貫通路とを別々に成形したリム部成形体と胴部成形体との接合により形成している。即ち、リム部成形体に設けられた凹形状と胴部成形体に設けられた凹形状とにより構成される空間部を連通道、貫通路とし、空間部のボウル部側の開口端を吐水口としている。
そのため、吐水口を配置する位置までリム部成形体の凹形状と胴部成形体の凹形状とを合わせながら導水路を構成する必要があり、任意の位置に吐水口を構成することが構造上困難な場合がある。
【０００４】
【特許文献１】特開２００３―２６１９７８号公報
【発明の開示】
【発明が解決しようとする課題】
【０００５】
本発明は上記課題を解決すべくなされたもので、リム部成形体とボール部成形体を各々別体で成形した後、接合して形成される洋風水洗式便器において、ボール面上縁部の内側壁面に沿って洗浄水を吐水する吐水口を任意の位置に配設でき、吐水口への洗浄水供給路を容易に形成することができる洋風水洗式便器を提供することを目的とする。
【課題を解決するための手段】
【０００６】
上記目的を達成するために、請求項１記載の本発明は、リム部成形体とボール部成形体を各々別体で成形した後接合して形成されるボール面上縁部の内側壁面に沿って洗浄水を吐水する吐水口を備えた洋風水洗式便器であって、前記リム部成形体は、便座が載置され内部に洗浄水を導水する中空状のリム導水路と、このリム導水路の外側壁外周に沿ってその外周面と面一状で下方に突設したリム外側脚部と、前記吐水口を配設する位置に前記リム導水路の内側壁の外面と面一状で下方に突設したリム内側脚部とを有し、前記リム外側脚部及びリム内側脚部と前記ボール部成形体の上端部とを接合することによって前記リム外側脚部とリム内側脚部と前記リム導水路の底面壁及び前記上端部によって囲まれた洗浄水吐水部を形成すると共に、前記洗浄水吐水部を構成する前記底面壁に前記リム導水部と前記洗浄水吐水部とを連通する貫通孔を穿設し、前記洗浄水吐水部の開口部を前記吐水口としたことを特徴とする。
【０００７】
このように構成された本発明においては、リム導水路の外側壁外周に沿ってその外周面と面一状で下方に突設したリム外側脚部と、吐水口を配設する位置にリム導水路の内側壁の外面と面一状で下方に突設したリム内側脚部とを備えたリム部成形体を成形し、リム内側脚部の横方向の幅の内に収まる位置でリム導水路の底面壁にリム導水路と連通する貫通孔を開口する。その後、リム部成形体とボウル部成形体とを接合して洋風水洗式便器を形成する。リム部成形体とボウル部成形体との接合によりリム外側脚部とリム内側脚部とリム導水路の底面壁及びボウル部の上方端部によって囲まれた洗浄水吐水部が形成され、リム内側脚部の横方向の端部に開口部が形成され、この開口部がボール面上縁部の内側壁面に沿って洗浄水を吐水する吐水口となる。
【０００８】
上記のように、リム部成形体に吐水口を配設する位置にリム導水路の内側壁の外面と面一状で下方に突設したリム内側脚部をリム部成形体に配設する構成とすることにより、吐水口を任意の位置に配設でき、吐水口への洗浄水供給路を容易に形成することができる。
【０００９】
また、本発明において、好ましくは、前記洗浄水吐水部の両端に開口部を有し、洗浄水を吐水する方向と反対側の前記開口部を閉塞する。
このように構成された本発明においては、洗浄水の吐水方向を一方向に設定することができる。
【００１０】
また、本発明において、好ましくは、前記ボール部成形体の上方端部に、前記リム外側脚部とリム内側脚部の夫々の先端部と接合するためのボール外側脚部及びボール内側脚部を突設するようにする。
このように構成された本発明においては、リム部成形体とボウル部成形体を接合する際に、接着材を用いてボール外側脚部の先端部とボール内側脚部の先端部とを、リム内側脚部の先端部とボール内側脚部の先端部とを接合し、接合した後はみ出た接着材を取り除く作業、接合部が目立たないように面一にする手当て作業が容易に行うことができる。また、接合する際に各々の脚部が目印となって接合の位置あわせが容易になる。
【発明の効果】
【００１１】
本発明によれば、リム部成形体とボール部成形体を各々別体で成形した後、接合して形成される洋風水洗式便器において、ボール面上縁部の内側壁面に沿って洗浄水を吐水する吐水口を容易に配設することができ、吐水口への洗浄水供給路を容易に形成することができるという効果がある。
【発明を実施するための最良の形態】
【００１２】
以下、本発明の実施の形態を図面に基づいて説明する。
（第一実施例）
図１は本発明に係る第一実施例の洋風水洗式便器Ｍの上面図で、図２は、ボウル部１のボール面上縁部の内側壁面に沿って洗浄水を吐水する吐水部位Ｙを破断して示す説明図で、Ａ−Ａ断面は吐水部位Ｙより下流側、Ｂ−Ｂ断面は吐水部位Ｙの中間部、Ｃ−Ｃ断面は吐水部位Ｙの後方部を示す説明図である。Ｄ−Ｄ断面は吐水部位Ｙの洗浄水の流れ方向と同方向の破断して示す説明図である。
洋風水洗式便器Ｍは、リム部成形体７とボウル部成形体８とを接合して形成している。
【００１３】
洋風水洗式便器Ｍは、溜水を貯留し汚物を受けるボウル部１、ボウル部１の上部周縁に形成したリム部２、リム部２の内部に設けたリム導水路５、ボウル部１の後方上部に設けた給水口３、給水口３とリム導水路５とを連絡する連絡路６、封水を維持するトラップ部（図示せず）と、ボウル部１の底部に設けたトラップ部（図示せず）につながるトラップ入口４を備えている。そして、洋風水洗式便器Ｍの前方から見て左側のリム部２に吐水部位Ｙを設けている。
【００１４】
Ｃ−Ｃ断面位置においては、リム部成形体７はリム導水路５を形成するリム内側壁５ａから下方に延設したリム内側脚部５ｂ、リム外側壁５ｃから外側面面一に下方に延設したリム外側脚部５ｅ、底面壁５ｆにリム導水路５と連通した貫通孔９を設けている。一方、ボウル部成形体８の上端部には、リム内側脚部５ｂとリム外側脚部５ｅと対向する位置に上方に突出したボウル内側脚部８ａとボウル外側脚部８ｂを設けている。そして、リム部成形体７とボウル部成形体８とを接合することにより、リム内側脚部５ｂ、リム外側脚部５ｅ、底面壁５ｆ、ボウル内側脚部８ａ、ボウル外側脚部８ｂで囲まれた空間部１１を形成してこの空間部１１を洗浄水吐水路１０としている。
【００１５】
Ｂ−Ｂ断面位置では、リム部成形体７はリム導水路５を形成するリム内側壁５ａから下方に延設したリム内側脚部５ｂ、リム外側壁５ｃから外側面面一に下方に延設したリム外側脚部５ｅ、底面壁５ｆを設けている。一方、ボウル部成形体８は上記Ｃ−Ｃ断面の位置と同様にボウル内側脚部８ａとボウル外側脚部８ｂを設けて、リム部成形体７とボウル部成形体８とを接合することにより、リム内側脚部５ｂ、リム外側脚部５ｅ、底面壁５ｆ、ボウル内側脚部８ａ、ボウル外側脚部８ｂで囲まれた空間部１１を形成しこの空間部１１を洗浄水吐水路１０としている。
【００１６】
Ａ−Ａ断面位置では、底面壁５ｆが内側に湾曲した形状でリム外側脚部５ｅと連続した形状をしている。一方、ボウル部成形体８はボウル外側脚部８ｂのみを設けてリム外側脚部５ｅと接合している。また、ボウル部１の上端部は内方に向かって下り傾斜した棚部８ｃを形成している。棚部８ｃは吐水口１２から下流側で略全周に亘って形成し、吐水口１２から吐水された洗浄水を案内する機能を果たしている。
【００１７】
次に図４、図５に基づいてリム部成形体７、ボウル部成形体８について説明する。図４はリム部成形体７を下から見た図で、ハッチングしている部分がボウル部成形体８との接合面７ａである。連絡路６、リム導水路５は排泥鋳込み成形により中空状に形成されている。洗浄水吐水路１０の上半分をリム外側脚部５ｅ、リム内側脚部５ｂ、リム外側脚部５ｅとリム内側脚部５ｂと連設し底面壁５ｆから突設（紙面の手前側に）したリム後方脚部５ｇ、底面壁５ｆとによって形成している。そして、底面壁５ｆのリム後方脚部５ｇに近い位置にリム導水路５と連絡する貫通孔９を開口している。
【００１８】
図５はボウル部成形体８を上方から見た図で、ハッチングしている部分がリム部成形体７との接合面８ｄである。洗浄水吐水路１０の下半分をボウル外側脚部８ｂ、ボウル内側脚部８ａ、ボウル外側脚部８ｂとボウル内側脚部８ａと連設しボウル部上端から突設（紙面の手前側に）したボウル後方脚部８ｅとによって形成している。
【００１９】
次に、洗浄水の流れについて説明する。
給水口３から給水された洗浄水は連絡路６を通過してリム導水路５に流れこむ。リム導水路５に流れ込んだ洗浄水は図２のＤ−Ｄ断面の矢印（黒塗りつぶし）で示すように、貫通孔９を通って洗浄水吐水路１０に流出する。そして、洗浄水吐水路１０の開口部である吐水口１２から吐水する。吐水した洗浄水は棚部８ｃに案内されて反時計方向に周回しながらボウル部１にボウル面に落下して洗浄を行う。
【００２０】
上記第一実施例においては、リム部成形体７とボウル部成形体８と接合面７ａ、８ｄで接合することにより洗浄水吐水路１０の１ヶ所の吐水口１２から一方向に吐水する洋風水洗式便器Ｍを形成している。
【００２１】
（第二実施例）
次に、洗浄水の吐水口の位置をリム部の先端側に設けた例について説明する。図３は第二実施例の洋風水洗式便器Ｎの上面図である。図６はリム部成形体７を下から見た図で、ハッチングしている部分がボウル部成形体８との接合面７ａである。洗浄水吐水路１０の上半分をリム外側脚部５ｅ、リム内側脚部５ｂ、底面壁５ｆとによって形成している。そして、洗浄水吐水路１０の略中央部にリム導水路５と連絡する貫通孔９を底面壁５ｆに開口している。図７はボウル部成形体８を上方から見た図で、ハッチングしている部分がリム部成形体７との接合面８ｄである。洗浄水吐水路１０の下半分をボウル外側脚部８ｂ、ボウル内側脚部８ａ、棚部８ｃとによって形成している。
【００２２】
上記第二実施例においては、リム部成形体７とボウル部成形体８とを接合面７ａ、８ｄで接合することにより洗浄水吐水路１０の２ヶ所の開口端である吐水口１３、１４から矢印に示すように互い逆方向に吐水する洋風水洗式便器Ｎを形成している。
【図面の簡単な説明】
【００２３】
【図１】第一実施例の洋風水洗式便器Ｍの上面図。
【図２】図１に示す洋風水洗式便器Ｍの吐水部位Ｙを破断して示す説明図。
【図３】第二実施例の洋風水洗式便器Ｎの上面図。
【図４】図１に示す洋風水洗式便器Ｍのリム部成形体を下から見た図。
【図５】図１に示す洋風水洗式便器Ｍのボール部成形体を上方から見た図。
【図６】第二実施例の洋風水洗式便器Ｎのリム部成形体を下から見た図。
【図７】第二実施例の洋風水洗式便器Ｎのボウル部成形体を上方から見た図。
【符号の説明】
【００２４】
Ｍ、Ｎ…洋風水洗式便器
Ｙ…吐水部位
１…ボウル部
２…リム部
３…給水口
４…トラップ入口
５…リム導水路
５ａ…リム内側壁
５ｂ…リム内側脚部
５ｃ…リム外側脚部
５ｆ…底面壁
５ｇ…リム後方脚部
６…連絡路
７…リム部成形体
７ａ、８ｄ…接合面
８…ボウル部成形体
８ａ…ボウル内側脚部
８ｂ…ボウル外側脚部
８ｃ…棚部
８ｅ…ボウル後方脚部
９…貫通孔
１０…洗浄水吐水路
１１…空間部
１２、１３、１４…吐水口
【図１】
2006089971.tif 000003
【図２】
2006089971.tif 000004
【図３】
2006089971.tif 000005
【図４】
2006089971.tif 000006
【図５】
2006089971.tif 000007
【図６】
2006089971.tif 000008
【図７】
2006089971.tif 000009